(57)【特許請求の範囲】
【請求項１】
脚部の両端部に互いに対向するように曲げられた一対のヨーク形成部を有するほぼＵ字状をなす脚鉄心を３組備え、これら３組の脚鉄心を、所定の点を中心として前記脚部がほぼ１２０度間隔となるように配置するとともに、前記ヨーク形成部同士を突き合わせることにより構成される静止誘導機器用鉄心であって、
前記３組の各脚鉄心は周方向に２分割されるとともに、分割された各分割脚鉄心の両ヨーク形成部の先端部は、当該ヨーク形成部の側面に対して斜めとなる切断面にて切断されていて、
それぞれ隣り合う２組の前記脚鉄心における隣り合う二つの前記分割脚鉄心同士で磁路を形成するとともに、前記３組の脚鉄心における前記ヨーク形成部の中心部分に、前記３組の脚鉄心におけるそれぞれ一方の前記分割脚鉄心の前記ヨーク形成部の側面または前記切断面により平面形状が三角形の開口部を形成しており、
前記隣り合う二つの前記分割脚鉄心のうち一方を第１分割脚鉄心とし、他方を第２分割脚鉄心とした場合に、
前記第１分割脚鉄心は、ほぼＵ字状をなし、前記切断面の前記ヨーク形成部の側面に対する角度が異なる第１積層用鉄心材と第２積層用鉄心材とが交互に積層されて構成され、前記第２分割脚鉄心は、ほぼＵ字状をなし、前記切断面の前記ヨーク形成部の側面に対する角度が異なる第３積層用鉄心材と第４積層用鉄心材とが交互に積層されて構成されている静止誘導機器用鉄心。
【請求項２】
前記第１分割脚鉄心の前記第１積層用鉄心材の切断面は、前記第１分割脚鉄心と同じ磁路を形成する隣接する前記脚鉄心の前記第１分割脚鉄心の前記第１積層用鉄心材の側面に当接し、
前記第２分割脚鉄心の前記第３積層用鉄心材の切断面は、前記第２分割脚鉄心と同じ磁路を形成する隣接する前記脚鉄心の前記第１分割脚鉄心の前記第１積層用鉄心材の側面に当接し、
前記第１分割脚鉄心の前記第２積層用鉄心材の切断面は、前記第１分割脚鉄心と同じ磁路を形成する隣の前記脚鉄心の前記第２分割脚鉄心の前記第４積層用鉄心材の切断面に当接し、
前記第２分割脚鉄心の前記第４積層用鉄心材の切断面は、前記第２分割脚鉄心と同じ磁路を形成する隣接する前記脚鉄心の前記第１分割脚鉄心の前記第２積層用鉄心材の切断面に当接するようにして、各脚鉄心における前記第１積層用鉄心材、前記第２積層用鉄心材、前記第３積層用鉄心材及び前記第４積層用鉄心材が積層されている請求項１記載の静止誘導機器用鉄心。
【請求項３】
前記第１分割脚鉄心の前記第１積層用鉄心材の切断面は、前記第１分割脚鉄心と同じ磁路を形成する隣の前記脚鉄心の前記第２分割脚鉄心の前記第３積層用鉄心材の切断面に当接し、
前記第２分割脚鉄心の前記第３積層用鉄心材の切断面は、前記第２分割脚鉄心と同じ磁路を形成する隣接する前記脚鉄心の前記第１分割脚鉄心の前記第１積層用鉄心材の切断面に当接し、
前記第１分割脚鉄心の前記第２積層用鉄心材の切断面は、前記第１分割脚鉄心と同じ磁路を形成する隣接する前記脚鉄心の前記第２分割脚鉄心の前記第４積層用鉄心材の側面に当接し、
前記第２分割脚鉄心の前記第３積層用鉄心材の側面は、前記第２分割脚鉄心と同じ磁路を形成する隣接する前記脚鉄心の前記第１分割脚鉄心の前記第２積層用鉄心材の切断面に当接するようにして、各脚鉄心における前記第１積層用鉄心材、前記第２積層用鉄心材、前記第３積層用鉄心材及び前記第４積層用鉄心材が積層されている請求項１記載の静止誘導機器用鉄心。
【請求項４】
前記第１積層用鉄心材、前記第２積層用鉄心材、前記第３積層用鉄心材及び前記第４積層用鉄心材のそれぞれは、そのヨーク形成部の先端部が重なるように構成されることによりラップ構造を構成する請求項１から３のいずれか一項に記載の静止誘導機器用鉄心。
【請求項５】
軸部と、この軸部の両端部に配置される一対の締付け板を有する締付け固定手段を備え、前記軸部を前記開口部に挿通させるとともに、前記一対の締付け板で前記３組の脚鉄心における前記ヨーク形成部を挟み込むことにより、前記締付け固定手段にて前記３組の脚鉄心を締付け固定する構成の請求項１から４のいずれか一項に記載の静止誘導機器用鉄心。
【発明の詳細な説明】
【技術分野】
【０００１】
本発明の実施形態は、静止誘導機器用鉄心に関する。
【背景技術】
【０００２】
静止誘導機器用鉄心として例えば三相の変圧器用鉄心においては、軸方向に延びる脚部の両端部に互いに対向する一対のヨーク形成部を有する、横向きのほぼＵ字状をなす脚鉄心を３組備え、これら３組の脚鉄心を、所定の点を中心として前記脚部がほぼ１２０度間隔となるように配置するとともに、前記ヨーク形成部同士を突き合わせることにより構成されるものが考えられている（特許文献１参照）。３組の各脚鉄心は、周方向に２分割され、しかも分割された各分割脚鉄心は、厚さ方向に複数層重ねられた構成となっている。３組の脚鉄心の各脚部には、コイルが巻装される。
【先行技術文献】
【特許文献】
【０００３】
【特許文献１】特公昭４９−３５９３０号公報
【発明の概要】
【発明が解決しようとする課題】
【０００４】
前記３組の脚鉄心を用いて３相の変圧器用鉄心として構成するには、３組の脚鉄心を組み合わせた状態で、これらがばらばらにならないように固定する必要があるが、特許文献１にはその固定手段が開示されていない。そこで、前記３組の脚鉄心を組み合わせた状態で固定するために、例えば３組の各脚鉄心のヨーク形成部の中心部に上下方向に開通する開口部を形成し、この開口部を利用して固定手段により３組の脚鉄心を締付け固定する構成が考えられる。しかしながら、ヨーク形成部の中央部に開口部を形成すると、その部分の断面積が部分的に減り、磁気特性が低下するという不具合がある。
【０００５】
そこで、ほぼＵ字状をなす脚鉄心を３組備え、これら３組の脚鉄心を組み合わせて構成されるものにあって、ヨーク形成部の中心部に開口部を形成しながらも磁気特性の低下を防止できる静止誘導機器用鉄心を提供する。
【課題を解決するための手段】
【０００６】
本実施形態の静止誘導機器用鉄心は、脚部の両端部に互いに対向するように曲げられた一対のヨーク形成部を有するほぼＵ字状をなす脚鉄心を３組備え、これら３組の脚鉄心を、所定の点を中心として前記脚部がほぼ１２０度間隔となるように配置するとともに、前記ヨーク形成部同士を突き合わせることにより構成される。前記３組の各脚鉄心は周方向に２分割されるとともに、分割された各分割脚鉄心の両ヨーク形成部の先端部は、当該ヨーク形成部の側面に対して斜めとなる切断面にて切断されている。それぞれ隣り合う２組の前記脚鉄心における隣り合う二つの前記分割脚鉄心同士で磁路を形成するとともに、前記３組の脚鉄心における前記ヨーク形成部の中心部分に、前記３組の脚鉄心におけるそれぞれ一方の前記分割脚鉄心の前記ヨーク形成部の側面または前記切断面により平面形状が三角形の開口部を形成しており、前記隣り合う二つの前記分割脚鉄心のうち一方を第１分割脚鉄心とし、他方を第２分割脚鉄心とした場合に、前記第１分割脚鉄心は、ほぼＵ字状をなし、前記切断面の前記ヨーク形成部の側面に対する角度が異なる第１積層用鉄心材と第２積層用鉄心材とが交互に積層されて構成され、前記第２分割脚鉄心は、ほぼＵ字状をなし、前記切断面の前記ヨーク形成部の側面に対する角度が異なる第３積層用鉄心材と第４積層用鉄心材とが交互に積層されて構成されている。
【図面の簡単な説明】
【０００７】
【図１】第１実施形態における変圧器用鉄心（静止誘導機器用鉄心）の斜視図
【図２】変圧器用鉄心の平面図
【図３】３組の脚鉄心を締付け固定手段により締付け固定した状態での斜視図
【図４】（ａ）は３組の脚鉄心を分解した状態での斜視図、（ｂ）は同じ磁路を形成する分割脚鉄心同士を組み合わせた状態での斜視図、（ｃ）は３組の脚鉄心を組み合わせた状態での斜視図
【図５】締付け固定手段の斜視図
【図６】第２実施形態を示す図１相当図
【図７】図２相当図
【図８】図４相当図
【図９】第３実施形態を示す図１相当図
【図１０】図２相当図
【図１１】図４相当図
【図１２】第４実施形態を示す図１相当図
【図１３】図２相当図
【図１４】図３相当図
【図１５】（ａ）〜（ｄ）は３組の脚鉄心における分割脚鉄心の積層用鉄心を１層ずつ積層していく過程を示す斜視図
【図１６】第５実施形態を示す図１相当図
【図１７】図２相当図
【図１８】図１５相当図
【発明を実施するための形態】
【０００８】
以下、複数の実施形態による静止誘導機器用鉄心を図面に基づいて説明する。なお、各実施形態において実質的に同一の構成部位には同一の符号を付し、説明を省略する。
（第１実施形態）
まず、第１実施形態について図１から図５を参照して説明する。第１実施形態の静止誘導機器用鉄心としては、三相の変圧器用鉄心である。図１および図２において、変圧器用鉄心１は、第１、第２および第３の３組の脚鉄心２，３，４を備えている。これら３組の脚鉄心２，３，４は同一の構成であるので、第１の脚鉄心２を代表して説明する。
【０００９】
第１の脚鉄心２は、図４（ａ）にも示すように、横向きのほぼＵ字状をなす第１および第２の２個の分割脚鉄心５，６を組み合わせて構成されている。２個の分割脚鉄心５，６のうち、第１の分割脚鉄心５は、軸方向となる上下方向に延びる脚形成部５ａと、この脚形成部５ａの上下両端部に互いに対向するように曲げられたヨーク形成部５ｂを一体に有していて、横向きのほぼＵ字状をなしている。また、第２の分割脚鉄心６も、第１の分割脚鉄心５と同様に、軸方向となる上下方向に延びる脚形成部６ａと、この脚形成部６ａの上下両端部に互いに対向するように曲げられたヨーク形成部６ｂを一体に有していて、横向きのほぼＵ字状をなしている。第１および第２の分割脚鉄心５，６は、例えば電磁鋼板により形成されている。
【００１０】
この場合、第１の分割脚鉄心５の脚形成部５ａと第２の分割脚鉄心６の脚形成部６ａの軸方向長さは同じであるが、第１の分割脚鉄心５の上下の各ヨーク形成部５ｂの長さは、第２の分割脚鉄心６のヨーク形成部６ｂよりも長く形成されている。また、第１の分割脚鉄心５のヨーク形成部５ｂにおける先端部は、当該ヨーク形成部５ｂの側面に対して斜めとなる切断面５ｃにて切断されている。この切断面５ｃは、図２に示すように、ヨーク形成部５ｂの左右の側面のうち、一方の側面に対して６０°の角度をなし、他方の側面に対して１２０°の角度をなしている。また、第２の分割脚鉄心６のヨーク形成部６ｂにおける先端部も、当該ヨーク形成部６ｂの側面に対して斜めとなる切断面６ｃにて切断されている。この切断面６ｃは、前記切断面５ｃとは向きが異なっていて、ヨーク形成部６ｂの左右の側面のうち、一方の側面に対して１２０°の角度をなし、他方の側面に対して６０°の角度をなしている。
【００１１】
第１および第２の２個の分割脚鉄心５，６の側面同士を突き合わせることで、第１の脚鉄心２が構成される。したがって、第１の脚鉄心２の脚部２ａは、２個の分割脚鉄心５，６の脚形成部５ａ，６ａにて形成され、第１の脚鉄心２のヨーク形成部２ｂは、２個の分割脚鉄心５，６のヨーク形成部５ｂ，６ｂにて形成される。第２の脚鉄心３および第３の脚鉄心４も、第１の脚鉄心２と同様に構成されている。
【００１２】
そして、変圧器用鉄心１は、第１から第３の３組の脚鉄心２，３，４を、所定の点Ｏ（図２参照）を中心としてそれぞれの脚部２ａ，３ａ，４ａがほぼ１２０°間隔となるように配置するとともに、各ヨーク形成部２ｂ，３ｂ，４ｂ同士を図１および図２に示すように突き合わせることによって構成されている。したがって、３組の各脚鉄心２，３，４は、それぞれ周方向に２分割された第１および第２の２個の分割脚鉄心５，６を組み合わせて構成されている。
【００１３】
ここで、３組の脚鉄心２，３，４の組み合わせについて具体的に説明する。第１の脚鉄心２における第１の分割脚鉄心５のヨーク形成部５ｂの切断面５ｃを、隣の第３の脚鉄心４における第１の分割脚鉄心５のヨーク形成部５ｂの側面に当接させるとともに、第１の脚鉄心２における第２の分割脚鉄心６のヨーク形成部６ｂの切断面６ｃを、隣の第２の脚鉄心３における第１の分割脚鉄心５のヨーク形成部５ｂの側面に当接させる。第２の脚鉄心３の分割脚鉄心５，６も、第３の脚鉄心４の分割脚鉄心５，６も、第１の脚鉄心２の分割脚鉄心５，６と同様に組み付ける。
【００１４】
これにより、図１および図２に示すように、３組の脚鉄心２，３，４により変圧器用鉄心１が形成される。このとき、３組の脚鉄心２，３，４において、平面的に見て（上から見て）Ｙ字状をなすヨーク形成部２ｂ，３ｂ，４ｂの中心部に、平面形状が正三角形でかつ軸方向（上下方向）に開通する開口部７が上下２箇所に形成される。この場合、開口部７は、３個の第２の分割脚鉄心６の側面によって形成されている。
【００１５】
そして、この変圧器用鉄心１を、３組の脚鉄心２，３，４がばらばらにならないように連結固定する場合には、図３および図５に示すように、締付け固定手段８を２組用いる。各締付け固定手段８は同様の構成であるので、一方の締付け固定手段８の構成を代表して説明する。締付け固定手段８は、上下方向に延びる軸部９と、この軸部９の上下両側に配置される一対の締付け板１０，１１を備える。締付け板１０，１１は、ともに円板状をなしていて、一方の締付け板１０は、軸部９の一端部に固着されている。軸部９の先端部側の外周部には雄ねじ部９ａが形成されている。他方の締付け板１１の中心部にはねじ孔１１ａが形成されていて、このねじ孔１１ａが、軸部９の雄ねじ部９ａに螺合可能とされている。
【００１６】
３組の脚鉄心２，３，４を締付け固定手段８を用いて連結固定する場合には、３組の脚鉄心２，３，４を図１に示すように組み合わせた状態で、締付け板１０に固着された軸部９を前記開口部７に挿通させ、その開口部７から突出した軸部９の先端部を、他方の締付け板１１のねじ孔１１ａに通し、締付け板１１を回転させることで、雄ねじ部９ａをねじ孔１１ａに螺合させ、上下２枚の締付け板１０，１１により３組の脚鉄心２，３，４におけるヨーク形成部２ｂ，３ｂ，４ｂを挟み込むことにより、締付け固定手段８にて３組の脚鉄心２，３，４を締付け固定する。上下２組の締付け固定手段８にて、３組の脚鉄心２，３，４における上下２箇所のヨーク形成部２ｂ，３ｂ，４ｂを締付け固定する。
【００１７】
締付け固定手段８において、一方の締付け板１０は、軸部９に固着されている必要はなく、他方の締付け板１１と同様に、軸部９の雄ねじ部９ａに螺合可能なねじ孔を有する構成とすることもできる。また、締付け固定手段８としては、上下２組にすることに限られず、軸部９を長くして、１本の軸部９を上下２箇所の開口部７に挿通させ、この軸部９の両端部に締付け板１０，１１を螺合させる構成とすることも可能である。
【００１８】
なお、このような構成の変圧器用鉄心１を用いて変圧器を構成する場合には、３組の脚鉄心２，３，４の各脚部２ａ，３ａ，４ａに、図示しないコイルが巻装される。
上記構成の場合、図４（ｂ）に示すように、第１の脚鉄心２における第１の分割脚鉄心５と、これと隣り合う第３の脚鉄心４における第２の分割脚鉄心６により磁路を形成する。また、第１の脚鉄心２における第２の分割脚鉄心６と、これと隣り合う第２の脚鉄心３における第１の分割脚鉄心５により磁路を形成する。さらに、第２の脚鉄心３における第２の分割脚鉄心６と、これと隣り合う第３の脚鉄心４における第１の分割脚鉄心５により磁路を形成する。
【００１９】
本実施形態においては、上述したように、脚部２ａ，３ａ，４ａの両端部に一対のヨーク形成部２ｂ，３ｂ，４ｂを有するほぼＵ字状をなす脚鉄心２，３，４を３組備え、これら３組の脚鉄心２，３，４を所定の点Ｏを中心として前記脚部２ａ，３ａ，４ａがほぼ１２０度間隔となるように配置するとともに、前記ヨーク形成部２ｂ，３ｂ，４ｂ同士を突き合わせることにより構成される変圧器用鉄心１にあって、３組の脚鉄心２，３，４はそれぞれ周方向に２分割されるとともに、分割された各分割脚鉄心５，６の両ヨーク形成部５ｂ，６ｂの先端部は、当該ヨーク形成部５ｂ，６ｂの側面に対して斜めとなる切断面５ｃ，６ｃにて切断されている。そして、それぞれ隣り合う２組の脚鉄心２，３、３，４、４，２における隣り合う二つの第１および第２の分割脚鉄心５，６同士で磁路を形成するとともに、前記３組の脚鉄心２，３，４におけるヨーク形成部２ｂ、３ｂ、４ｂの中心部分に、前記３組の脚鉄心２，３，４におけるそれぞれ第１の分割脚鉄心５のヨーク形成部５ｂの側面により平面形状が三角形でかつ軸方向に開通する開口部７を形成した構成とした。これにより、ほぼＵ字状をなす脚鉄心２，３，４を３組備え、これら３組の脚鉄心２，３，４を組み合わせて構成されるものにあって、ヨーク形成部２ｂ，３ｂ，４ｂの中心部に開口部７を形成しながらも磁気特性の低下を防止できる。
【００２０】
そして、軸部９と、この軸部９の両端部に配置される一対の締付け板１０，１１を有する締付け固定手段８を備え、軸部９を前記開口部７に挿通させるとともに、一対の締付け板１０，１１で前記３組の脚鉄心２，３，４における前記ヨーク形成部２ｂ，３ｂ，４ｂを挟み込むことにより、締付け固定手段８にて前記３組の脚鉄心２，３，４を締付け固定する構成とした。これにより、３組の脚鉄心２，３，４を強固に連結固定することができ、強固な変圧器用鉄心１、ひいては強固な変圧器を構成することが可能となる。
【００２１】
（第２の実施形態）
第２の実施形態について主に図６から図８を参照して説明する。変圧器用鉄心２１は、第１、第２および第３の３組の脚鉄心２２，２３，２４を備えている。これら３組の脚鉄心２２，２３，２４は同一の構成であるので、第１の脚鉄心２２を代表して説明する。
【００２２】
第１の脚鉄心２２は、図８（ａ）にも示すように、横向きのほぼＵ字状をなす第１および第２の２個の分割脚鉄心２５，２６を組み合わせて構成されている。２個の分割脚鉄心２５，２６のうち、第１の分割脚鉄心２５は、軸方向となる上下方向に延びる脚形成部２５ａと、この脚形成部２５ａの上下両端部に互いに対向するように曲げられたヨーク形成部２５ｂを一体に有していて、横向きのほぼＵ字状をなしている。また、第２の分割脚鉄心２６も、第１の分割脚鉄心２５と同様に、軸方向となる上下方向に延びる脚形成部２６ａと、この脚形成部２６ａの上下両端部に互いに対向するように曲げられたヨーク形成部２６ｂを一体に有していて、横向きのほぼＵ字状をなしている。第１および第２の分割脚鉄心２５，２６も、例えば電磁鋼板により形成されている。
【００２３】
この場合、第１の分割脚鉄心２５の脚形成部２５ａと第２の分割脚鉄心２６の脚形成部２６ａの軸方向長さは同じであり、また、第１の分割脚鉄心２５の上下の各ヨーク形成部２５ｂと、第２の分割脚鉄心２６のヨーク形成部２６ｂは同じ長さに形成されている。また、第１の分割脚鉄心２５のヨーク形成部２５ｂにおける先端部は、当該ヨーク形成部２５ｂの側面に対して斜めとなる切断面２５ｃにて切断されている。この切断面２５ｃは、図７に示すように、ヨーク形成部２５ｂの左右の側面のうち、一方の側面に対して６０°の角度をなし、他方の側面に対して１２０°の角度をなしている。また、第２の分割脚鉄心２６のヨーク形成部２６ｂにおける先端部も、当該ヨーク形成部２６ｂの側面に対して斜めとなる切断面２６ｃにて切断されている。この切断面２６ｃは、前記切断面２５ｃとは向きが異なっていて、ヨーク形成部２６ｂの左右の側面のうち、一方の側面に対して１２０°の角度をなし、他方の側面に対して６０°の角度をなしている。
【００２４】
第１および第２の２個の分割脚鉄心２５，２６の側面同士を突き合わせることで、第１の脚鉄心２２が構成される。したがって、第１の脚鉄心２２の脚部２２ａは、２個の分割脚鉄心２５，２６の脚形成部２５ａ，２６ａにて形成され、第１の脚鉄心２２のヨーク形成部２２ｂは、２個の分割脚鉄心２５，２６のヨーク形成部２５ｂ，２６ｂにて形成される。第２の脚鉄心２３および第３の脚鉄心２４も、第１の脚鉄心２２と同様に構成されている。
【００２５】
そして、変圧器用鉄心２１は、第１から第３の３組の脚鉄心２２，２３，２４を、所定の点Ｏ（図７参照）を中心としてそれぞれの脚部２２ａ，２３ａ，２４ａがほぼ１２０°間隔となるように配置するとともに、各ヨーク形成部１２ｂ，２３ｂ，２４ｂ同士を図６および図７に示すように突き合わせることによって構成されている。したがって、３組の各脚鉄心２２，２３，２４は、周方向に２分割された第１および第２の２個の分割脚鉄心２５，２６を組み合わせて構成されている。
【００２６】
ここで、３組の脚鉄心２２，２３，２４の組み合わせについて具体的に説明する。第１の脚鉄心２２における第１の分割脚鉄心２５のヨーク形成部２５ｂの切断面２５ｃを、隣の第３の脚鉄心２４における第２の分割脚鉄心２６のヨーク形成部２６ｂの側面に当接させるとともに、第１の脚鉄心２２における第２の分割脚鉄心２６のヨーク形成部２６ｂの側面を、隣の第２の脚鉄心２３における第１の分割脚鉄心２５のヨーク形成部２５ｂの切断面２５ｃに当接させる。第２の脚鉄心２３の分割脚鉄心２５，２６も、第３の脚鉄心２４の分割脚鉄心２５，２６も、第１の脚鉄心２２の分割脚鉄心２５，２６と同様に組み付ける。
【００２７】
これにより、図６および図７に示すように、３組の脚鉄心２２，２３，２４により変圧器用鉄心２１が形成される。このとき、３組の脚鉄心２２，２３，２４において、平面的に見て（上から見て）Ｙ字状をなすヨーク形成部２２ｂ，２３ｂ，２４ｂの中心部に、平面形状が正三角形でかつ軸方向（上下方向）に開通する開口部２７が上下２箇所に形成される。この場合、開口部２７は、３個の第２の分割脚鉄心２６の先端部の切断面２６ｃによって形成されている。
【００２８】
そして、この変圧器用鉄心２１を、３組の脚鉄心２２，２３，２４がばらばらにならないように連結固定する場合には、前述した第１の実施形態で用いた２組の締付け固定手段８を用いて第１の実施形態の場合と同様に締付け固定する。
【００２９】
上記構成の場合も、図８（ｂ）に示すように、第１の脚鉄心２２における第１の分割脚鉄心２５と、これと隣り合う第３の脚鉄心２４における第２の分割脚鉄心２６により磁路を形成する。また、第１の脚鉄心２２における第２の分割脚鉄心２６と、これと隣り合う第２の脚鉄心２３における第１の分割脚鉄心２５により磁路を形成する。さらに、第２の脚鉄心２３における第２の分割脚鉄心２６と、これと隣り合う第３の脚鉄心２４における第１の分割脚鉄心２５により磁路を形成する。
本実施形態においても、第１の実施形態と同様な作用効果を得ることができる。
【００３０】
（第３の実施形態）
第３の実施形態について主に図９から図１１を参照して説明する。変圧器用鉄心３１は、第１、第２および第３の３組の脚鉄心３２，３３，３４を備えている。これら３組の脚鉄心３２，３３，３４は同一の構成であるので、第１の脚鉄心３２を代表して説明する。
【００３１】
第１の脚鉄心３２は、図１１（ａ）にも示すように、横向きのほぼＵ字状をなす第１および第２の２個の分割脚鉄心３５，３６を組み合わせて構成されている。２個の分割脚鉄心３５，３６のうち、第１の分割脚鉄心３５は、軸方向となる上下方向に延びる脚形成部３５ａと、この脚形成部３５ａの上下両端部に互いに対向するように曲げられたヨーク形成部３５ｂを一体に有していて、横向きのほぼＵ字状をなしている。また、第２の分割脚鉄心３６も、第１の分割脚鉄心３５と同様に、軸方向となる上下方向に延びる脚形成部３６ａと、この脚形成部３６ａの上下両端部に互いに対向するように曲げられたヨーク形成部３６ｂを一体に有していて、横向きのほぼＵ字状をなしている。第１および第２の分割脚鉄心３５，３６も、例えば電磁鋼板により形成されている。
【００３２】
この場合、第１の分割脚鉄心３５の脚形成部３５ａと第２の分割脚鉄心３６の脚形成部３６ａの軸方向長さは同じであるが、第１の分割脚鉄心３５の上下の各ヨーク形成部３５ｂの長さは、第２の分割脚鉄心３６のヨーク形成部３６ｂよりもやや長く形成されている。また、第１の分割脚鉄心３５のヨーク形成部３５ｂにおける先端部は、当該ヨーク形成部３５ｂの側面に対して斜めとなる切断面３５ｃにて切断されている。この切断面３５ｃは、図１０に示すように、ヨーク形成部３５ｂの左右の側面のうち、一方の側面に対して１２０°の角度をなし、他方の側面に対して６０°の角度をなしている。また、第２の分割脚鉄心３６のヨーク形成部３６ｂにおける先端部も、当該ヨーク形成部３６ｂの側面に対して斜めとなる切断面３６ｃにて切断されている。この切断面３６ｃは、前記切断面３５ｃとは向きが異なっていて、ヨーク形成部３６ｂの左右の側面のうち、一方の側面に対して６０°の角度をなし、他方の側面に対して１２０°の角度をなしている。
【００３３】
第１および第２の２個の分割脚鉄心３５，３６の側面同士を突き合わせることで、第１の脚鉄心３２が構成される。したがって、第１の脚鉄心３２の脚部３２ａは、２個の分割脚鉄心３５，３６の脚形成部３５ａ，３６ａにて形成され、第１の脚鉄心３２のヨーク形成部３２ｂは、２個の分割脚鉄心３５，３６のヨーク形成部３５ｂ，３６ｂにて形成される。第２の脚鉄心３３および第３の脚鉄心３４も、第１の脚鉄心３２と同様に構成されている。
【００３４】
そして、変圧器用鉄心３１は、第１から第３の３組の脚鉄心３２，３３，３４を、所定の点Ｏ（図１０参照）を中心としてそれぞれの脚形成部３２ａ，３３ａ，３４ａがほぼ１２０°間隔となるように配置するとともに、各ヨーク形成部３２ｂ，３３ｂ，３４ｂ同士を図９および図１０に示すように突き合わせることによって構成されている。３組の各脚鉄心３２，３３，３４は、周方向に２分割された第１および第２の２個の分割脚鉄心３５，３６を組み合わせて構成されている。
【００３５】
ここで、３組の脚鉄心３２，３３，３４の組み合わせについて具体的に説明する。第１の脚鉄心３２における第１の分割脚鉄心３５のヨーク形成部３５ｂの切断面３５ｃを、隣の第３の脚鉄心３４における第２の分割脚鉄心３６のヨーク形成部３６ｂの切断面３６ｃに当接させるとともに、第１の脚鉄心３２における第２の分割脚鉄心３６のヨーク形成部３６ｂの切断面３６ｃを、隣の第２の脚鉄心３３における第１の分割脚鉄心３５のヨーク形成部３５ｂの切断面３５ｃに当接させる。第２の脚鉄心３３の分割脚鉄心３５，３６も、第３の脚鉄心３４の分割脚鉄心３５，３６も、第１の脚鉄心３２の分割脚鉄心３５，３６と同様に組み付ける。
【００３６】
これにより、図９および図１０に示すように、３組の脚鉄心３２，３３，３４により変圧器用鉄心３１が形成される。このとき、３組の脚鉄心３２，３３，３４において、平面的に見て（上から見て）Ｙ字状をなすヨーク形成部３２ｂ，３３ｂ，４４ｂの中心部に、平面形状が正三角形でかつ軸方向（上下方向）に開通する開口部３７が上下２箇所に形成される。この場合、開口部３７は、３個の第１の分割脚鉄心３５の側面によって形成されている。
【００３７】
そして、この変圧器用鉄心３１を、３組の脚鉄心３２，３３，３４がばらばらにならないように連結固定する場合には、前述した第１の実施形態で用いた２組の締付け固定手段８を用いて第１の実施形態の場合と同様に締付け固定する。
【００３８】
上記構成の場合も、図１１（ｂ）に示すように、第１の脚鉄心３２における第１の分割脚鉄心３５と、これと隣り合う第３の脚鉄心３４における第２の分割脚鉄心３６により磁路を形成する。また、第１の脚鉄心３２における第２の分割脚鉄心３６と、これと隣り合う第２の脚鉄心３３における第１の分割脚鉄心３５により磁路を形成する。さらに、第２の脚鉄心３３における第２の分割脚鉄心３６と、これと隣り合う第３の脚鉄心３４における第１の分割脚鉄心３５により磁路を形成する。
本実施形態においても、第１の実施形態と同様な作用効果を得ることができる。
【００３９】
（第４の実施形態）
第４の実施形態について図１２から図１５を参照して説明する。変圧器用鉄心４１は、第１、第２および第３の３組の脚鉄心４２，４３，４４を備えている。これら３組の脚鉄心４２，４３，４４は同一の構成であるので、第１の脚鉄心４２を代表して説明する。
【００４０】
第１の脚鉄心４２は、横向きのほぼＵ字状をなす第１および第２の２個の分割脚鉄心４５，４６を組み合わせて構成されている。２個の各分割脚鉄心４５，４６は、それぞれほぼＵ字状をなす積層用鉄心を複数層、この場合４層積み重ねて構成されている。この場合、第１の分割脚鉄心４５については、図１２に示すように、内側から一層目の積層用鉄心を４５−１、二層目の積層用鉄心を４５−２、三層目の積層用鉄心を４５−３、四層目の積層用鉄心を４５−４の符号で示す。第２の分割脚鉄心４６については、図１２における左側の第３の脚鉄心４４における第２の分割脚鉄心４６で示すように、内側から一層目の積層用鉄心を４６−１、二層目の積層用鉄心を４６−２、三層目の積層用鉄心を４６−３、四層目の積層用鉄心を４６−４の符号で示す。各積層用鉄心４５−１〜４５−４、４６−１〜４６−４も、例えば電磁鋼板により形成されている。
【００４１】
第１の分割脚鉄心４５における一層目の積層用鉄心４５−１は、図１５（ａ）に示すように、上側のヨーク形成部の先端部と下側のヨーク形成部の先端部に、それぞれ側面に対して斜めとなる切断面４５ｃ−１が形成されている。上側のヨーク形成部の切断面４５ｃ−１と下側のヨーク形成部の切断面４５ｃ−１では、向きが異なっている。各切断面４５ｃ−１は、対応するヨーク形成部の側面に対して６０°と１２０°の角度をなしている。
【００４２】
また、第２の分割脚鉄心４６における一層目の積層用鉄心４６−１において、同図１５（ａ）に示すように、上側のヨーク形成部および下側のヨーク形成部は、第１の分割脚鉄心４５における一層目の積層用鉄心４５−１よりも短く設定されていて、それぞれの先端部に側面に対して斜めとなる切断面４６ｃ−１が形成されている（図１５（ａ）において、左側の第３の脚鉄心４４の第２の分割脚鉄心４６の一層目の積層用鉄心４６−１参照）。上側のヨーク形成部の切断面４６ｃ−１と下側のヨーク形成部の切断面４６ｃ−１では、向きが異なっている。各切断面４６ｃ−１は、対応するヨーク形成部の側面に対して６０°と１２０°の角度をなしている。
【００４３】
図１５（ａ）は、３組の脚鉄心４２，４３，４４のそれぞれの第１および第２の分割脚鉄心４５，４６の一層目の積層用鉄心４５−１，４６−１を組み合わせた状態が示されている。手前側の第１の脚鉄心４２における左側の第１の分割脚鉄心４５の一層目の積層用鉄心４５−１は、上側の切断面４５ｃ−１を左側の第３の脚鉄心４４における第１の分割脚鉄心４５の一層目の積層用鉄心４５−１のヨーク形成部の側面に当接させ、下側の切断面４５ｃ−１を左側の第３の脚鉄心４４における第２の分割脚鉄心４６の一層目の積層用鉄心４６−１のヨーク形成部の切断面４６ｃ−１に当接させる。
【００４４】
また、第１の脚鉄心４２における右側の第２の分割脚鉄心４６の一層目の積層用鉄心４６−１は、上側の切断面４６ｃ−１を右側の第２の脚鉄心４３における第１の分割脚鉄心４５の一層目の積層鉄心４５−１のヨーク形成部の側面に当接させ、下側の切断面４６ｃ−１を同じく右側の第２の脚鉄心４４における第１の分割脚鉄心４５の一層目の積層用鉄心４５−１の下側のヨーク形成部の切断面４６ｃ−１に当接させる（第３の脚鉄心４４における第２の分割脚鉄心４６の一層目の積層用鉄心４６−１参照）。
【００４５】
第２の脚鉄心４３および第３の脚鉄心４４における第１の分割脚鉄心４５の一層目の積層用鉄心４５−１および第２の分割脚鉄心４６の一層目の積層用鉄心４６−１も、上記と同様に組み合わせることで、図１５（ａ）に示すように、３組の脚鉄心４２，４３，４４における第１および第２の分割脚鉄心４５，４６の一層目の積層用鉄心４５−１，４６−１の組み合わせが完成する。この場合、上下のヨーク形成部の中心部分に、それぞれ３個の積層用鉄心４５−１のヨーク形成部の側面によって正三角形の開口部４７が形成される。
【００４６】
第１の脚鉄心４２の第１の分割脚鉄心４５における二層目の積層用鉄心４５−２も、図１５（ｂ）に示すように、上側のヨーク形成部の先端部と下側のヨーク形成部の先端部に、それぞれ側面に対して斜めとなる切断面４５ｃ−２が形成されている（下側のヨーク形成部の切断面は図示されていない）。上側のヨーク形成部の切断面４５ｃ−２は、一層目の積層用鉄心４５−１の上側のヨーク形成部の切断面４５ｃ−１とは向きが異なっている。なお、図示はしないが、二層目の積層用鉄心４５−２における下側のヨーク形成部の切断面は、上側のヨーク形成部の切断面４５ｃ−２とは向きが異なっている。
【００４７】
また、第２の分割脚鉄心４６における二層目の積層用鉄心４６−２において、同図１５（ｂ）に示すように、上側のヨーク形成部および下側のヨーク形成部は、第１の分割用鉄心４５における二層目の積層用鉄心４５−２よりも短く設定されていて、それぞれの先端部に、側面に対して斜めとなる切断面４６ｃ−２が形成されている（下側の切断面４６ｃ−２は図示されていない）。上側のヨーク形成部の切断面４６ｃ−２は、一層目の積層用鉄心４６−１の上側のヨーク形成部の切断面４６ｃ−１とは向きが異なっている。なお、図示はしないが、二層目の積層用鉄心４６−２における下側のヨーク形成部の切断面は、上側のヨーク形成部の切断面４６ｃ−２とは向きが異なっている。
【００４８】
図１５（ｂ）は、３組の脚鉄心４２，４３，４４のそれぞれの第１および第２の分割脚鉄心４５，４６の二層目の積層用鉄心４５−２，４６−２を組み合わせた状態が示されている。手前側の第１の脚鉄心４２における左側の第１の分割脚鉄心４５の二層目の積層用鉄心４５−２は、上側の切断面４５ｃ−２を左側の第３の脚鉄心４４における第２の分割脚鉄心４６の二層目の積層用鉄心４６−２の切断面４６ｃ−２に当接させ、下側の切断面を、図示はしないが左側の第３の脚鉄心４４における第１の分割脚鉄心４５の二層目の積層用鉄心４５−１のヨーク形成部の側面に当接させる。
【００４９】
また、第１の脚鉄心４２における右側の第２の分割脚鉄心４６の二層目の積層用鉄心４６−２は、上側の切断面４６ｃ−２を右側の第２の脚鉄心４３における第１の分割脚鉄心４５の二層目の積層鉄心４５−２のヨーク形成部の切断面４５ｃ−２に当接させ、下側の切断面を、図示はしないが右側の第２の脚鉄心４４における第２の分割脚鉄心４６の二層目の積層用鉄心４６−２の下側のヨーク形成部の側面に当接させる。
【００５０】
第２の脚鉄心４３および第３の脚鉄心４４における第１の分割脚鉄心４５の二層目の積層用鉄心４５−２および第２の分割脚鉄心４６の二層目の積層用鉄心４６−２も、上記と同様に組み合わせることで、図１５（ｂ）に示すように、３組の脚鉄心４２，４３，４４における第１および第２の分割脚鉄心４５，４６の二層目の積層用鉄心４５−２，４６−２の組み合わせが完成する。この場合も、上下のヨーク形成部の中心部分に、３個の積層用鉄心４５−２のヨーク形成部の側面によって正三角形の開口部４７が形成される。
【００５１】
このとき、それぞれの第２の分割脚鉄心４６における二層目の積層用鉄心４６−２の上側のヨーク形成部の先端部（一部）が、当該分割脚鉄心４６と同じ磁路を形成する隣の第１の分割脚鉄心４５における前層である一層目の積層用鉄心４５−１の上側のヨーク形成部の先端部（一部）に重なってラップ構造を形成するとともに、図示はしないが、それぞれの第１の分割脚鉄心４５における二層目の積層用鉄心４５−２の下側のヨーク形成部の一部である先端部が、当該分割脚鉄心４５と同じ磁路を形成する隣の第２の分割脚鉄心４６における前層である一層目の積層用鉄心４６−１の下側のヨーク形成部の一部である先端部に重なってラップ構造を形成する。
【００５２】
第１の脚鉄心４２の第１の分割脚鉄心４５における三層目の積層用鉄心４５−３も、図１５（ｃ）に示すように、上側のヨーク形成部の先端部と下側のヨーク形成部の先端部に、それぞれ側面に対して斜めとなる切断面４５ｃ−３が形成されている（下側のヨーク形成部の切断面は図示されていない）。上側のヨーク形成部の切断面４５ｃ−３は、一層目の積層用鉄心４５−１の上側のヨーク形成部の切断面４５ｃ−１と同じ向きに設定されている。なお、図示はしないが、三層目の積層用鉄心４５−３における下側のヨーク形成部の切断面は、一層目の積層用鉄心４５−１の下側のヨーク形成部の切断面４５ｃ−１と同じ向きに設定されている。
【００５３】
また、第２の分割脚鉄心４６における三層目の積層用鉄心４６−３において、同図１５（ｃ）に示すように、上側のヨーク形成部および下側のヨーク形成部は、第１の分割用鉄心４５における三層目の積層用鉄心４５−３よりも短く設定されていて、それぞれの先端部に側面に対して斜めとなる切断面４６ｃ−３が形成されている。上側のヨーク形成部の切断面４６ｃ−３は一層目の積層用鉄心４６−１の上側のヨーク形成部の切断面４６ｃ−１と同じ向きに設定され、下側のヨーク形成部の切断面は、図示はしないが、一層目の積層用鉄心４６−１の下側のヨーク形成部の切断面４６ｃ−１と同じ向きに設定されている。
【００５４】
図１５（ｃ）は、３組の脚鉄心４２，４３，４４のそれぞれの第１および第２の分割脚鉄心４５，４６の三層目の積層用鉄心４５−３，４６−３を組み合わせた状態が示されている。手前側の第１の脚鉄心４２における左側の第１の分割脚鉄心４５の三層目の積層用鉄心４５−３は、一層目の場合と同様に、上側の切断面４５ｃ−３を左側の第３の脚鉄心４４における第１の分割脚鉄心４５の三層目の積層用鉄心４５−３のヨーク形成部の側面に当接させ、下側の切断面を図示はしないが左側の第３の脚鉄心４４における第２の分割脚鉄心４６の三層目の積層用鉄心４６−３のヨーク形成部の切断面に当接させる。
【００５５】
また、第１の脚鉄心４２における右側の第２の分割脚鉄心４６の三層目の積層用鉄心４６−３は、上側の切断面４６ｃ−３を右側の第２の脚鉄心４３における第１の分割脚鉄心４５の三層目の積層鉄心４５−３のヨーク形成部の側面に当接させ、下側の切断面を、図示はしないが右側の第２の脚鉄心４４における第１の分割脚鉄心４５の三層目の積層用鉄心４５−３の下側のヨーク形成部の切断面に当接させる。
【００５６】
第２の脚鉄心４３および第３の脚鉄心４４における第１の分割脚鉄心４５の三層目の積層用鉄心４５−３および第２の分割脚鉄心４６の三層目の積層用鉄心４６−３も、上記と同様に組み合わせることで、図１５（ｃ）に示すように、３組の脚鉄心４２，４３，４４における第１および第２の分割脚鉄心４５，４６の三層目の積層用鉄心４５−３，４６−３の組み合わせが完成する。この場合も、上下のヨーク形成部の中心部分に、３個の積層用鉄心４５−３のヨーク形成部の側面によって正三角形の開口部４７が形成される。
【００５７】
このとき、それぞれの第１の分割脚鉄心４５における三層目の積層用鉄心４５−３の上側のヨーク形成部の先端部が、当該分割脚鉄心４５と同じ磁路を形成する隣の第２の分割脚鉄心４６における前層である二層目の積層用鉄心４６−２の上側のヨーク形成部の先端部に重なってラップ構造を形成するとともに、図示はしないが、それぞれの第１の分割脚鉄心４５における三層目の積層用鉄心４５−３の下側のヨーク形成部の先端部が、当該分割脚鉄心４５と同じ磁路を形成する隣の第３の分割脚鉄心４６における前層である二層目の積層用鉄心４６−２の下側のヨーク形成部の先端部に重なってラップ構造を形成する。
【００５８】
第１の脚鉄心４２の第１の分割脚鉄心４５における四層目の積層用鉄心４５−４も、図１５（ｄ）に示すように、上側のヨーク形成部の先端部と下側のヨーク形成部の先端部に、それぞれ側面に対して斜めとなる切断面４５ｃ−４が形成されている（下側のヨーク形成部の切断面は図示されていない）。上側のヨーク形成部の切断面４５ｃ−４は、二層目の積層用鉄心４５−２の上側のヨーク形成部の切断面４５ｃ−２と同じ向きに設定されている。なお、図示はしないが、四層目の積層用鉄心４５−４における下側のヨーク形成部の切断面は、上側のヨーク形成部の切断面４５ｃ−４とは向きが異なっている。
【００５９】
また、第２の分割脚鉄心４６における四層目の積層用鉄心４６−４において、同図１５（ｄ）に示すように、上側のヨーク形成部および下側のヨーク形成部は、第１の分割用鉄心４５における四層目の積層用鉄心４５−４よりも短く設定されていて、それぞれの先端部に側面に対して斜めとなる切断面４６ｃ−４が形成されている。上側のヨーク形成部の切断面４６ｃ−４は二層目の積層用鉄心４６−２の上側のヨーク形成部の切断面４６ｃ−２と同じ向きに設定され、下側のヨーク形成部の切断面は、図示はしないが、二層目の積層用鉄心４６−２の下側のヨーク形成部の切断面と同じ向きに設定されている。
【００６０】
図１５（ｄ）は、３組の脚鉄心４２，４３，４４のそれぞれの第１および第２の分割脚鉄心４５，４６の四層目の積層用鉄心４５−４，４６−４を組み合わせた状態が示されている。手前側の第１の脚鉄心４２における左側の第１の分割脚鉄心４５の四層目の積層用鉄心４５−４は、上側の切断面４５ｃ−４を左側の第３の脚鉄心４４における第２の分割脚鉄心４６の四層目の積層用鉄心４６−４の切断面４６ｃ−４に当接させ、下側の切断面を、図示はしないが左側の第３の脚鉄心４４における第１の分割脚鉄心４５の四層目の積層用鉄心４５−１のヨーク形成部の側面に当接させる。
【００６１】
また、第１の脚鉄心４２における右側の第２の分割脚鉄心４６の四層目の積層用鉄心４６−４は、上側の切断面４６ｃ−４を右側の第２の脚鉄心４３における第１の分割脚鉄心４５の四層目の積層鉄心４５−４のヨーク形成部の切断面４５ｃ−４に当接させ、下側の切断面を、図示はしないが右側の第２の脚鉄心４４における第２の分割脚鉄心４６の四層目の積層用鉄心４６−４の下側のヨーク形成部の側面に当接させる。
【００６２】
第２の脚鉄心４３および第３の脚鉄心４４における第１の分割脚鉄心４５の四層目の積層用鉄心４５−４および第２の分割脚鉄心４６の四層目の積層用鉄心４６−４も、上記と同様に組み合わせることで、図１５（ｄ）に示すように、３組の脚鉄心４２，４３，４４における第１および第２の分割脚鉄心４５，４６の四層目の積層用鉄心４５−４，４６−４の組み合わせが完成する。この場合も、上下のヨーク形成部の中心部分に、３個の積層用鉄心４５−４のヨーク形成部の側面によって正三角形の開口部４７が形成される。
【００６３】
このとき、それぞれの第２の分割脚鉄心４６における四層目の積層用鉄心４６−４の上側のヨーク形成部の先端部が、当該分割脚鉄心４６と同じ磁路を形成する隣の第１の分割脚鉄心４５における前層である三層目の積層用鉄心４５−３の上側のヨーク形成部の先端部）に重なってラップ構造を形成するとともに、図示はしないが、それぞれの第１の分割脚鉄心４５における四層目の積層用鉄心４５−４の下側のヨーク形成部の先端部が、当該分割脚鉄心４５と同じ磁路を形成する隣の第２の分割脚鉄心４６における前層である三層目の積層用鉄心４６−３の下側のヨーク形成部の先端部に重なってラップ構造を形成する。
【００６４】
そして、この変圧器用鉄心４１を、３組の脚鉄心４２，４３，４４がばらばらにならないように連結固定する場合には、図１４に示すように、前述した第１の実施形態で用いた２組の締付け固定手段８を用いて第１の実施形態の場合と同様に締付け固定する。
【００６５】
上記構成の場合も、第１の脚鉄心４２における第１の分割脚鉄心４５と、これと隣り合う第３の脚鉄心４４における第２の分割脚鉄心４６により磁路を形成する。また、第１の脚鉄心４２における第２の分割脚鉄心４６と、これと隣り合う第２の脚鉄心４３における第１の分割脚鉄心４５により磁路を形成する。さらに、第２の脚鉄心４３における第２の分割脚鉄心４６と、これと隣り合う第３の脚鉄心４４における第１の分割脚鉄心４５により磁路を形成する。
【００６６】
このような構成とした第４の実施形態によれば、特に、同じ磁路を形成する第１の分割脚鉄心４５と、隣の脚鉄心における第２の分割脚鉄心４６は、それぞれ４層の積層用鉄心４５−１〜４５−４と、４６−１〜４６−４により形成されていて、それら積層用鉄心間でラップ構造を有する構成となっているから、一つの脚から隣の脚へ流れる磁束は、ヨーク形成部の延び方向だけではなく、積層用鉄心の重なり方向（ラップ方向）にも流れ易くなり、磁束の流れが一層スムーズであり、接合部での漏れ磁束の発生が少なく、鉄損の増加や励磁電流の増加を極力抑えることが可能となる。
【００６７】
（第５の実施形態）
第５の実施形態について図１６から図１８を参照して説明する。変圧器用鉄心５１は、第１、第２および第３の３組の脚鉄心５２，５３，５４を備えている。これら３組の脚鉄心５２，５３，５４は同一の構成であるので、第１の脚鉄心５２を代表して説明する。
【００６８】
第１の脚鉄心５２は、横向きのほぼＵ字状をなす第１および第２の２個の分割脚鉄心５５，５６を組み合わせて構成されている。２個の各分割脚鉄心５５，５６は、それぞれほぼＵ字状をなす積層用鉄心を複数層、この場合４層積み重ねて構成されている。この場合も、第１の分割脚鉄心５５については、図１６に示すように、内側から一層目の積層用鉄心を５５−１、二層目の積層用鉄心を５５−２、三層目の積層用鉄心を５５−３、四層目の積層用鉄心を５５−４の符号で示す。第２の分割脚鉄心５６についても、図１６における左側の第３の脚鉄心５４における第２の分割脚鉄心５６で示すように、内側から一層目の積層用鉄心を５６−１、二層目の積層用鉄心を５６−２、三層目の積層用鉄心を５６−３、四層目の積層用鉄心を５６−４の符号で示す。各積層用鉄心５５−１〜５５−４、５６−１〜５６−４も、例えば電磁鋼板により形成されている。
【００６９】
第１の分割脚鉄心５５における一層目の積層用鉄心５５−１は、図１８（ａ）に示すように、上側のヨーク形成部の先端部と下側のヨーク形成部の先端部に、それぞれ側面に対して斜めとなる切断面５５ｃ−１が形成されている。上側のヨーク形成部の切断面５５ｃ−１と下側のヨーク形成部の切断面５５ｃ−１では、向きが異なっている。各切断面５５ｃ−１は、対応するヨーク形成部の側面に対して６０°と１２０°の角度をなしている。
【００７０】
また、第２の分割脚鉄心５６における一層目の積層用鉄心５６−１において、同図１８（ａ）に示すように、上側のヨーク形成部および下側のヨーク形成部は、第１の分割脚鉄心５５における一層目の積層用鉄心５５−１よりも短く設定されていて、それぞれの先端部に側面に対して斜めとなる切断面５６ｃ−１が形成されている（図１８（ａ）において、左側の第３の脚鉄心５４の第２の分割脚鉄心５６の一層目の積層用鉄心５６−１参照）。上側のヨーク形成部の切断面５６ｃ−１と下側のヨーク形成部の切断面５６ｃ−１では、向きが異なっている。各切断面５６ｃ−１は、対応するヨーク形成部の側面に対して６０°と１２０°の角度をなしている。
【００７１】
図１８（ａ）は、３組の脚鉄心５２，５３，５４のそれぞれの第１および第２の分割脚鉄心５５，５６の一層目の積層用鉄心５５−１，５６−１を組み合わせた状態が示されている。手前側の第１の脚鉄心５２における左側の第１の分割脚鉄心５５の一層目の積層用鉄心５５−１は、上側の切断面５５ｃ−１を、左側の第３の脚鉄心５４における第２の分割脚鉄心５６の一層目の積層用鉄心５６−１の上側の切断面５６ｃ−１に当接させ、下側の切断面５５ｃ−１を、左側の第３の脚鉄心５４における第２の分割脚鉄心５６の一層目の積層用鉄心５６−１の下側のヨーク形成部の側面に当接させる。
【００７２】
また、第１の脚鉄心５２における右側の第２の分割脚鉄心５６の一層目の積層用鉄心５６−１は、上側の切断面５６ｃ−１を、右側の第２の脚鉄心５３における第１の分割脚鉄心５５の一層目の積層鉄心５５−１の上側の切断面５５ｃ−１に当接させ、下側のヨーク形成部の側面を、右側の第２の脚鉄心５４における第１の分割脚鉄心５５の一層目の積層用鉄心５６−１の下側のヨーク形成部の切断面５５ｃ−１に当接させる（第３の脚鉄心５４における第２の分割脚鉄心５６の一層目の積層用鉄心５６−１参照）。
【００７３】
第２の脚鉄心５３および第３の脚鉄心５４における第１の分割脚鉄心５５の一層目の積層用鉄心５５−１および第２の分割脚鉄心５６の一層目の積層用鉄心５６−１も、上記と同様に組み合わせることで、図１８（ａ）に示すように、３組の脚鉄心５２，５３，５４における第１および第２の分割脚鉄心５５，５６の一層目の積層用鉄心５５−１，５６−１の組み合わせが完成する。この場合、上側のヨーク形成部の中心部分に、３個の積層用鉄心５５−１のヨーク形成部の側面によって正三角形の開口部５７が形成され、下側のヨーク形成部の中心部分に、３個の積層用鉄心５６−１の下側の切断面５６ｃ−１によって正三角形の開口部５７が形成される。
【００７４】
第１の脚鉄心５２の第１の分割脚鉄心５５における二層目の積層用鉄心５５−２も、図１８（ｂ）に示すように、上側のヨーク形成部の先端部と下側のヨーク形成部の先端部に、それぞれ側面に対して斜めとなる切断面５５ｃ−２が形成されている（下側のヨーク形成部の切断面は図示されていない）。上側のヨーク形成部の切断面５５ｃ−２は、一層目の積層用鉄心５５−１の上側のヨーク形成部の切断面５５ｃ−１とは向きが異なっている。なお、図示はしないが、二層目の積層用鉄心５５−２における下側のヨーク形成部の切断面は、上側のヨーク形成部の切断面５５ｃ−２とは向きが異なっている。
【００７５】
また、第２の分割脚鉄心５６における二層目の積層用鉄心５６−２において、同図１８（ｂ）に示すように、上側のヨーク形成部および下側のヨーク形成部は、第１の分割用鉄心５５における二層目の積層用鉄心５５−２のヨーク形成部と同長さに設定されていて、それぞれの先端部に側面に対して斜めとなる切断面５６ｃ−２が形成されている（下側の切断面５６ｃ−２は図示されていない）。上側のヨーク形成部の切断面５６ｃ−２は、一層目の積層用鉄心５６−１の上側のヨーク形成部の切断面５６ｃ−１とは向きが異なっている。なお、図示はしないが、二層目の積層用鉄心５６−２における下側のヨーク形成部の切断面は、上側のヨーク形成部の切断面５６ｃ−２と同じ向きに設定されている。
【００７６】
図１８（ｂ）は、３組の脚鉄心５２，５３，５４のそれぞれの第１および第２の分割脚鉄心５５，５６の二層目の積層用鉄心５５−２，５６−２を組み合わせた状態が示されている。手前側の第１の脚鉄心５２における左側の第１の分割脚鉄心５５の二層目の積層用鉄心５５−２は、上側の切断面５５ｃ−２を左側の第３の脚鉄心５４における第２の分割脚鉄心５６の二層目の積層用鉄心５６−２のヨーク形成部の側面に当接させ、下側の切断面を、図示はしないが左側の第３の脚鉄心５４における第２の分割脚鉄心５６の二層目の積層用鉄心５６−２のヨーク形成部の切断面に当接させる。
【００７７】
また、第１の脚鉄心５２における右側の第２の分割脚鉄心５６の二層目の積層用鉄心５６−２は、上側のヨーク形成部の側面を右側の第２の脚鉄心５３における第１の分割脚鉄心５５の二層目の積層用鉄心５５−２のヨーク形成部の切断面５５ｃ−２に当接させ、下側のヨーク形成部の側面を、図示はしないが右側の第２の脚鉄心５３における第１の分割脚鉄心５５の二層目の積層用鉄心５５−２のヨーク形成部の切断面に当接させる。
【００７８】
第２の脚鉄心５３および第３の脚鉄心５４における第１の分割脚鉄心５５の二層目の積層用鉄心５５−２および第２の分割脚鉄心５６の二層目の積層用鉄心５６−２も、上記と同様に組み合わせることで、図１８（ｂ）に示すように、３組の脚鉄心５２，５３，５４における第１および第２の分割脚鉄心５５，５６の二層目の積層用鉄心５５−２，５６−２の組み合わせが完成する。この場合、上側のヨーク形成部の中心部分に、３個の積層用鉄心５６−２の切断面５６ｃ−２によって正三角形の開口部５７が形成され、下側のヨーク形成部の中心部分に、３個の積層用鉄心５５−２のヨーク形成部の側面によって正三角形の開口部５７が形成される。
【００７９】
このとき、それぞれの第２の分割脚鉄心５６における二層目の積層用鉄心５６−２の上側のヨーク形成部の先端部が、当該分割脚鉄心５６と同じ磁路を形成する隣の第１の分割脚鉄心５５における前層である一層目の積層用鉄心５５−１の上側のヨーク形成部の先端部に重なってラップ構造を形成するとともに、図示はしないが、それぞれの第１の分割脚鉄心５５における二層目の積層用鉄心５５−２の下側のヨーク形成部の先端部が、当該分割脚鉄心５５と同じ磁路を形成する隣の分割脚鉄心５６における前層である一層目の積層用鉄心５６−１の下側のヨーク形成部の先端部に重なってラップ構造を形成する。
【００８０】
第１の脚鉄心５２の第１の分割脚鉄心５５における三層目の積層用鉄心５５−３も、図１８（ｃ）に示すように、上側のヨーク形成部の先端部と下側のヨーク形成部の先端部に、それぞれ側面に対して斜めとなる切断面５５ｃ−３が形成されている（下側のヨーク形成部の切断面は図示されていない）。上側のヨーク形成部の切断面５５ｃ−３は、一層目の積層用鉄心５５−１の上側のヨーク形成部の切断面５５ｃ−１と同じ向きに設定され、図示はしないが、下側のヨーク形成部の切断面は、一層目の積層用鉄心５５−１の下側のヨーク形成部の切断面５５ｃ−１と同じ向きに設定されている。
【００８１】
また、第２の分割脚鉄心５６における三層目の積層用鉄心５６−３において、同図１８（ｃ）に示すように、上側のヨーク形成部および下側のヨーク形成部は、第１の分割用鉄心５５における三層目の積層用鉄心５５−３よりも短く設定されていて、それぞれの先端部に側面に対して斜めとなる切断面５６ｃ−３が形成されている。上側のヨーク形成部の切断面５６ｃ−３は一層目の積層用鉄心５６−１の上側のヨーク形成部の切断面５６ｃ−１と同じ向きに設定され、下側のヨーク形成部の切断面は、図示はしないが、一層目の積層用鉄心５６−１の下側のヨーク形成部の切断面５６ｃ−１と同じ向きに設定されている。
【００８２】
図１８（ｃ）は、３組の脚鉄心５２，５３，５４のそれぞれの第１および第２の分割脚鉄心５５，５６の三層目の積層用鉄心５５−３，５６−３を組み合わせた状態が示されている。手前側の第１の脚鉄心５２における左側の第１の分割脚鉄心５５の三層目の積層用鉄心５５−３は、一層目の場合と同様に、上側の切断面５５ｃ−３を左側の第３の脚鉄心５４における第２の分割脚鉄心５６の三層目の積層用鉄心５６−３の上側の切断面５６ｃ−３に当接させ、下側の切断面を図示はしないが左側の第３の脚鉄心５４における第２の分割脚鉄心５６の三層目の積層用鉄心５６−３のヨーク形成部の側面に当接させる。
【００８３】
また、第１の脚鉄心５２における右側の第２の分割脚鉄心５６の三層目の積層用鉄心５６−３は、上側の切断面５６ｃ−３を右側の第２の脚鉄心５３における第１の分割脚鉄心５５の三層目の積層鉄心５５−３の上側の切断面５５ｃ−３に当接させ、下側のヨーク形成部の側面を、図示はしないが右側の第２の脚鉄心５４における第１の分割脚鉄心５５の三層目の積層用鉄心５５−３の下側の切断面に当接させる。
【００８４】
第２の脚鉄心５３および第３の脚鉄心５４における第１の分割脚鉄心５５の三層目の積層用鉄心５５−３および第２の分割脚鉄心５６の三層目の積層用鉄心５６−３も、上記と同様に組み合わせることで、図１８（ｃ）に示すように、３組の脚鉄心５２，５３，５４における第１および第２の分割脚鉄心５５，５６の三層目の積層用鉄心５５−３，５６−３の組み合わせが完成する。この場合、上側のヨーク形成部の中心部分に、３個の積層用鉄心５５−３のヨーク形成部の側面によって正三角形の開口部５７が形成され、下側のヨーク形成部の中心部分に、３個の積層用鉄心５６−３の下側の切断面５６ｃ−３によって正三角形の開口部５７が形成される。
【００８５】
このとき、それぞれの第１の分割脚鉄心５５における三層目の積層用鉄心５５−３の上側のヨーク形成部の先端部が、当該分割脚鉄心５５と同じ磁路を形成する隣の第２の分割脚鉄心５６における前層である二層目の積層用鉄心５６−２の上側のヨーク形成部の先端部に重なってラップ構造を形成するとともに、図示はしないが、それぞれの第２の分割脚鉄心５６における三層目の積層用鉄心５６−３の下側のヨーク形成部の先端部が、当該分割脚鉄心５６と同じ磁路を形成する隣の第１の分割脚鉄心５５における前層である二層目の積層用鉄心５５−２の下側のヨーク形成部の先端部に重なってラップ構造を形成する。
【００８６】
第１の脚鉄心５２の第１の分割脚鉄心５５における四層目の積層用鉄心５５−４も、図１８（ｄ）に示すように、上側のヨーク形成部の先端部と下側のヨーク形成部の先端部に、それぞれ側面に対して斜めとなる切断面５５ｃ−４が形成されている（下側のヨーク形成部の切断面は図示されていない）。上側のヨーク形成部の切断面５５ｃ−４は、二層目の積層用鉄心５５−２の上側のヨーク形成部の切断面５５ｃ−２と同じ向きに設定され、図示はしないが、下側のヨーク形成部の切断面は、二層目の積層用鉄心５５−２の下側のヨーク形成部の切断面と同じ向きに設定されている。
【００８７】
また、第２の分割脚鉄心５６における四層目の積層用鉄心５６−４も、同図１８（ｄ）に示すように、上側のヨーク形成部の先端部と下側のヨーク形成部の先端部に、それぞれ側面に対して斜めとなる切断面５６ｃ−４が形成されている（下側のヨーク形成部の切断面は図示されていない）。上側のヨーク形成部の切断面５６ｃ−４は、二層目の積層用鉄心５６−２の上側のヨーク形成部の切断面５６ｃ−２と同じ向きに設定され、図示はしないが、下側のヨーク形成部の切断面は、二層目の積層用鉄心５６−２の下側のヨーク形成部の切断面と同じ向きに設定されている。
【００８８】
図１８（ｄ）は、３組の脚鉄心５２，５３，５４のそれぞれの第１および第２の分割脚鉄心５５，５６の四層目の積層用鉄心５５−４，５６−４を組み合わせた状態が示されている。手前側の第１の脚鉄心５２における左側の第１の分割脚鉄心５５の四層目の積層用鉄心５５−４は、二層目の場合と同様に、上側の切断面５５ｃ−４を左側の第３の脚鉄心５４における第２の分割脚鉄心５６の四層目の積層用鉄心５６−４のヨーク形成部の側面に当接させ、下側の切断面を、図示はしないが左側の第３の脚鉄心５４における第２の分割脚鉄心５６の四層目の積層用鉄心５６−４の下側の切断面に当接させる。
【００８９】
また、第１の脚鉄心５２における右側の第２の分割脚鉄心５６の四層目の積層用鉄心５６−４は、上側のヨーク形成部の側面を右側の第２の脚鉄心５３における第１の分割脚鉄心５５の四層目の積層用鉄心５５−４の上側の切断面５５ｃ−４に当接させ、下側のヨーク形成部の側面を、図示はしないが右側の第２の脚鉄心５３における第１の分割脚鉄心５５の四層目の積層用鉄心５５−４の下側の切断面に当接させる。
【００９０】
第２の脚鉄心５３および第３の脚鉄心５４における第１の分割脚鉄心５５の四層目の積層用鉄心５５−４および第２の分割脚鉄心５６の四層目の積層用鉄心５６−４も、上記と同様に組み合わせることで、図１８（ｄ）に示すように、３組の脚鉄心５２，５３，５４における第１および第２の分割脚鉄心５５，５６の四層目の積層用鉄心５５−４，５６−４の組み合わせが完成する。この場合、上側のヨーク形成部の中心部分に、３個の積層用鉄心５６−４の切断面５６ｃ−４によって正三角形の開口部５７が形成され、下側のヨーク形成部の中心部分に、３個の積層用鉄心５５−４のヨーク形成部の側面によって正三角形の開口部５７が形成される。
【００９１】
このとき、それぞれの第２の分割脚鉄心５６における四層目の積層用鉄心５６−４の上側のヨーク形成部の先端部が、当該分割脚鉄心５６と同じ磁路を形成する隣の第１の分割脚鉄心５５における前層である三層目の積層用鉄心５５−３の上側のヨーク形成部の先端部に重なってラップ構造を形成するとともに、図示はしないが、それぞれの第１の分割脚鉄心５５における四層目の積層用鉄心５５−４の下側のヨーク形成部の先端部が、当該分割脚鉄心５５と同じ磁路を形成する隣の分割脚鉄心５６における前層である三層目の積層用鉄心５６−３の下側のヨーク形成部の先端部に重なってラップ構造を形成する。
【００９２】
そして、この変圧器用鉄心５１を、３組の脚鉄心５２，５３，５４がばらばらにならないように連結固定する場合には、第４の実施形態と同様に、前述した第１の実施形態で用いた２組の締付け固定手段８を用いて第１の実施形態の場合と同様に締付け固定する（図１４参照）。
【００９３】
上記構成の場合も、第１の脚鉄心５２における第１の分割脚鉄心５５と、これと隣り合う第３の脚鉄心５４における第２の分割脚鉄心５６により磁路を形成する。また、第１の脚鉄心５２における第２の分割脚鉄心５６と、これと隣り合う第２の脚鉄心５３における第１の分割脚鉄心５５により磁路を形成する。さらに、第２の脚鉄心５３における第２の分割脚鉄心５６と、これと隣り合う第３の脚鉄心５４における第１の分割脚鉄心５５により磁路を形成する。
【００９４】
このような構成とした第５の実施形態においても、第４の実施形態の場合と同様に、同じ磁路を形成する第１の分割脚鉄心５５と、隣の脚鉄心における第２の分割脚鉄心５６は、それぞれ４層の積層用鉄心５５−１〜５５−４と、５６−１〜５６−４により形成されていて、それら積層用鉄心間でラップ構造を有する構成となっているから、一つの脚から隣の脚へ流れる磁束は、ヨーク形成部の延び方向だけではなく、積層用鉄心の重なり方向（ラップ方向）にも流れ易くなり、磁束の流れが一層スムーズであり、接合部での漏れ磁束の発生が少なく、鉄損の増加や励磁電流の増加を極力抑えることが可能となる。
【００９５】
（その他の実施形態）
第４および第５の実施形態において、各分割脚鉄心を形成する積層用鉄心の積層枚数は４枚に限られず２枚以上の複数枚であればよい。
静止誘導機器用鉄心としては、変圧器用鉄心に限られず、リアクトル用鉄心にも適用できる。
【００９６】
以上説明したように本実施形態によれば、ほぼＵ字状をなす脚鉄心を３組備え、これら３組の脚鉄心を組み合わせて構成されるものにあって、ヨーク形成部の中心部に開口部を形成しながらも磁気特性の低下を防止できる静止誘導機器用鉄心を提供することができる。
【００９７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９８】
図面中、１，２１，３１，４１，５１は変圧器用鉄心（静止誘導機器用鉄心）、２，３，４，２２，２３，２４，３２，３３，３４，４２，４３，４４，５２，５３，５４は脚鉄心、５，６，２５，２６，３５，３６，４５，４６，５５，５６は分割脚鉄心、４５−１〜４５−４，４６−１〜４６−４，５５−１〜５５−４、５６−１〜５６−４は積層用鉄心、７，２７，３７，４７，５７は開口部、８は締付け固定手段、９は軸部、１０，１１は締付け板を示す。
【図１】
0006482281.tif 000002
【図２】
0006482281.tif 000003
【図３】
0006482281.tif 000004
【図４】
0006482281.tif 000005
【図５】
0006482281.tif 000006
【図６】
0006482281.tif 000007
【図７】
0006482281.tif 000008
【図８】
0006482281.tif 000009
【図９】
0006482281.tif 000010
【図１０】
0006482281.tif 000011
【図１１】
0006482281.tif 000012
【図１２】
0006482281.tif 000013
【図１３】
0006482281.tif 000014
【図１４】
0006482281.tif 000015
【図１５】
0006482281.tif 000016
【図１６】
0006482281.tif 000017
【図１７】
0006482281.tif 000018
【図１８】
0006482281.tif 000019